(57)【特許請求の範囲】
【請求項１】
Ｕ字状ヘッドバンド(３)の両端部に第１プレーヤ部(１)と第２プレーヤ部(２)とを配備して構成され、第１プレーヤ部(１)は、前記ヘッドバンド(３)の一方の端部に連結されて一方の耳を覆う第１ヘッドホンユニット(15)と、第１ヘッドホンユニット(15)に対して着脱可能に取り付けられた信号再生ユニット(10)とから構成され、第２プレーヤ部(２)は、前記ヘッドバンド(３)の他方の端部に連結されて他方の耳を覆う第２ヘッドホンユニット(25)と、第２ヘッドホンユニット(25)に対して着脱可能に取り付けられた電源ユニット(20)とから構成され、両ヘッドホンユニット(15)(25)から取り外された信号再生ユニット(10)と電源ユニット(20)とは互いに着脱可能であり、前記ヘッドバンド(３)には、ヘッドバンド全長に亘って伸びる電力線と信号線が設置され、第１ヘッドホンユニット(15)に信号再生ユニット(10)を取り付けると共に第２ヘッドホンユニット(25)に電源ユニット(20)を取り付けた第１の使用状態にて、電源ユニット(20)から前記電力線を経て信号再生ユニット(10)に電力が供給され、該信号再生ユニット(10)から第１ヘッドホンユニット(15)へ音声信号が供給されると共に、該信号再生ユニット(10)から前記信号線を経て第２ヘッドホンユニット(25)へ音声信号が供給され、両ヘッドホンユニット(15)(25)から取り外した信号再生ユニット(10)と電源ユニット(20)とを互いに合体させた第２の使用状態にて、電源ユニット(20)から信号再生ユニット(10)へ電力が供給され、該信号再生ユニット(10)の信号出力端子(14)から音声信号が出力されることを特徴とするヘッドホン型オーディオプレーヤ。
【請求項２】
信号再生ユニット(10)と第２ヘッドホンユニット(25)には、互いに共通する構造の第１係脱機構が設けられ、電源ユニット(20)と第１ヘッドホンユニット(15)には、互いに共通する構造であって前記第１係脱機構に対して係脱する第２係脱機構が設けられている請求項１に記載のヘッドホン型オーディオプレーヤ。
【請求項３】
信号再生ユニット(10)と第１ヘッドホンユニット(15)の対向部に、互いに係脱可能な一対のコネクタ(13)(18)が配備されると共に、電源ユニット(20)と第２ヘッドホンユニット(25)の対向部に、互いに係脱可能な一対のコネクタ(23)(28)が配備され、信号再生ユニット(10)のコネクタ(13)と電源ユニット(20)のコネクタ(23)とは互いに係脱可能であり、互いに係合したコネクタを経てユニット間の電力及び信号の伝送が行なわれる請求項１又は請求項２に記載のヘッドホン型オーディオプレーヤ。
【発明の詳細な説明】
【０００１】
【発明の属する技術分野】
本発明は、頭部に装着して音声を聞くことが出来るヘッドホン型オーディオプレーヤに関するものである。
【０００２】
【従来の技術】
従来、携帯型のオーディオプレーヤとして、携帯可能な小型のプレーヤ本体に音声データ格納用のメモリと音声再生回路とを内蔵して、信号出力端子から音声信号を出力するデジタルメモリプレーヤが知られている。この様なデジタルメモリプレーヤにおいては、信号出力端子に、イヤホンに繋がるコードを接続することによって、イヤホンから音楽を聞くことが出来る。
又、携帯型のオーディオプレーヤとして、頭部に装着すべきヘッドバンドの両端部に、両耳を覆う左右一対のヘッドホンを配備すると共に、両ヘッドホンに音声信号を供給すべきプレーヤ本体をヘッドバンドと一体に設けたヘッドホン型のデジタルメモリプレーヤが知られている。
【０００３】
【発明が解決しようとする課題】
ユーザは、携帯型のデジタルメモリプレーヤを購入する場合、イヤホンを用いて音楽を聞くイヤホン方式のデジタルメモリプレーヤと、ヘッドホン型のデジタルメモリプレーヤの内、何れか一方を選択することになる。
しかしながら、イヤホン方式のデジタルメモリプレーヤは、ポケット等に入れて携帯することが可能であるが、プレーヤ本体から耳まで伸びるコードが邪魔になる欠点があった。一方、ヘッドホン型のデジタルメモリプレーヤにおいては、頭部に装着したヘッドバンドにプレーヤ本体が一体化されており、コードがないので、コードが邪魔になる欠点はないが、ヘッドバンドの装着によって頭髪が乱れる欠点があった。
従って、ユーザは、何れか一方の形式のデジタルメモリプレーヤを選択して購入した場合、そのデジタルメモリプレーヤが有する欠点を常に甘受せねばならない問題があった。
【０００４】
そこで本発明の目的は、頭髪が乱れてもコードが邪魔にならない状態で音楽を楽しみたい場合には、その要求に応じた第１の使用状態をとることが出来、コードが邪魔になっても頭髪を乱れさせることなく音楽を楽しみたい場合には、その要求に応じた第２の使用状態をとることが出来るオーディオプレーヤを提供することである。
【０００５】
【課題を解決する為の手段】
本発明に係るヘッドホン型オーディオプレーヤは、Ｕ字状ヘッドバンド(３)の両端部に第１プレーヤ部(１)と第２プレーヤ部(２)とを配備して構成され、第１プレーヤ部(１)は、前記ヘッドバンド(３)の一方の端部に連結されて一方の耳を覆う第１ヘッドホンユニット(15)と、第１ヘッドホンユニット(15)に対して着脱可能に取り付けられた信号再生ユニット(10)とから構成されている。
第２プレーヤ部(２)は、前記ヘッドバンド(３)の他方の端部に連結されて他方の耳を覆う第２ヘッドホンユニット(25)と、第２ヘッドホンユニット(25)に対して着脱可能に取り付けられた電源ユニット(20)とから構成され、両ヘッドホンユニット(15)(25)から取り外された信号再生ユニット(10)と電源ユニット(20)とは互いに着脱可能である。
前記ヘッドバンド(３)には、ヘッドバンド全長に亘って伸びる電力線と信号線が設置され、第１ヘッドホンユニット(15)に信号再生ユニット(10)を取り付けると共に第２ヘッドホンユニット(25)に電源ユニット(20)を取り付けた第１の使用状態にて、電源ユニット(20)から前記電力線を経て信号再生ユニット(10)に電力が供給され、該信号再生ユニット(10)から第１ヘッドホンユニット(15)へ音声信号が供給されると共に、該信号再生ユニット(10)から前記信号線を経て第２ヘッドホンユニット(25)へ音声信号が供給される。
又、両ヘッドホンユニット(15)(25)から取り外した信号再生ユニット(10)と電源ユニット(20)とを互いに合体させた第２の使用状態にて、電源ユニット(20)から信号再生ユニット(10)へ電力が供給され、該信号再生ユニット(10)の信号出力端子(14)から音声信号が出力される。
【０００６】
上記本発明のヘッドホン型オーディオプレーヤにおいては、頭髪が乱れてもコードが邪魔にならない状態で音楽を楽しみたい場合には、第１ヘッドホンユニット(15)に信号再生ユニット(10)を取り付けると共に、第２ヘッドホンユニット(25)に電源ユニット(20)を取り付けて、第１の使用状態をとる。これによって、電源ユニット(20)の電力が電力線を経て信号再生ユニット(10)に供給され、該電力の供給を受けて、信号再生ユニット(10)が音声再生動作を行なう。この結果、信号再生ユニット(10)から第１ヘッドホンユニット(15)へ音声信号が供給されると共に、信号再生ユニット(10)から信号線を経て第２ヘッドホンユニット(25)へ音声信号が供給される。
従って、ユーザは、ヘッドバンド(３)を頭部に装着して両ヘッドホンユニット(15)(25)を両耳に当てることにより、両ヘッドホンユニット(15)(25)から音声を聞くことが出来る。この場合、コードは不要であるので、コードが邪魔になることはない。
【０００７】
これに対し、コードが邪魔になっても頭髪を乱れさせることなく音楽を楽しみたい場合には、第１ヘッドホンユニット(15)から信号再生ユニット(10)を取り外すと共に、第２ヘッドホンユニット(25)から電源ユニット(20)を取り外し、信号再生ユニット(10)と電源ユニット(20)とを互いに合体させて、第２の使用状態をとる。これによって、信号再生ユニット(10)が電源ユニット(20)からの電力の供給を受けて音声再生動作を行ない、信号出力端子(14)から音声信号が出力される。
従って、ユーザは、信号出力端子(14)にイヤホンのコードを接続することによって、イヤホンから音声を聞くことが出来る。この場合、ヘッドバンドを頭部に装着する必要はないので、頭髪が乱れることはない。又、互いに合体した信号再生ユニット(10)と電源ユニット(20)はコンパクトであるので、ポケット等に入れて携帯することが可能である。
【０００８】
具体的構成において、信号再生ユニット(10)と第２ヘッドホンユニット(25)には、互いに共通する構造の第１係脱機構が設けられ、電源ユニット(20)と第１ヘッドホンユニット(15)には、互いに共通する構造であって前記第１係脱機構に対して係脱する第２係脱機構が設けられている。
該具体的構成において、第１の使用状態をとる場合は、第１ヘッドホンユニット(15)の第２係脱機構に対して信号再生ユニット(10)の第１係脱機構を係合させることによって、第１ヘッドホンユニット(15)に信号再生ユニット(10)を取り付けると共に、第２ヘッドホンユニット(25)の第１係脱機構に対して電源ユニット(20)の第２係脱機構を係合させることによって、第２ヘッドホンユニット(25)に電源ユニット(20)を取り付けることが出来る。
又、第２の使用状態をとる場合は、信号再生ユニット(10)の第１係脱機構に対して電源ユニット(20)の第２係脱機構を係合させることによって、信号再生ユニット(10)と電源ユニット(20)とを互いに合体させることが出来る。
【０００９】
他の具体的構成において、信号再生ユニット(10)と第１ヘッドホンユニット(15)の対向部に、互いに係脱可能な一対のコネクタ(13)(18)が配備されると共に、電源ユニット(20)と第２ヘッドホンユニット(25)の対向部に、互いに係脱可能な一対のコネクタ(23)(28)が配備され、信号再生ユニット(10)のコネクタ(13)と電源ユニット(20)のコネクタ(23)とは互いに係脱可能であり、互いに係合したコネクタを経てユニット間の電力及び信号の伝達が行なわれる。
【００１０】
該具体的構成において、第１の使用状態を設定した場合、電源ユニット(20)のコネクタ(23)が第２ヘッドホンユニット(25)のコネクタ(28)に係合して、電源ユニット(20)から電力線を経て信号再生ユニット(10)に電力が供給される。又、信号再生ユニット(10)のコネクタ(13)が第１ヘッドホンユニット(15)のコネクタ(18)に係合して、信号再生ユニット(10)から第１ヘッドホンユニット(15)へ音声信号が供給されると共に、信号再生ユニット(10)から信号線を経て第２ヘッドホンユニット(25)へ音声信号が供給される。
これに対し、第２の使用状態を設定した場合には、信号再生ユニット(10)のコネクタ(13)が電源ユニット(20)のコネクタ(23)に係合して、電源ユニット(20)から信号再生ユニット(10)へ電力が供給される。
【００１１】
【発明の効果】
本発明に係るヘッドホン型オーディオプレーヤによれば、頭髪が乱れてもコードが邪魔にならない状態で音楽を楽しみたい場合には、第１の使用状態をとることによって、その要求を満たすことが出来、コードが邪魔になっても頭髪を乱れさせることなく音楽を楽しみたい場合には、第２の使用状態をとることによって、その要求を満たすことが出来る。
【００１２】
【発明の実施の形態】
以下、本発明をデジタルメモリプレーヤに実施した形態につき、図面に沿って具体的に説明する。
本発明に係るヘッドホン型デジタルメモリプレーヤは、図１に示す如く、弾性部材からなるＵ字状のヘッドバンド(３)の両端部に、第１プレーヤ部(１)と第２プレーヤ部(２)を配備して構成されている。
【００１３】
第１プレーヤ部(１)は、ヘッドバンド(３)の一方の端部に連結された第１ヘッドホンユニット(15)と、第１ヘッドホンユニット(15)に着脱可能に取り付けられた信号再生ユニット(10)とから構成されている。信号再生ユニット(10)には、音声信号を再生するための信号再生回路が内蔵されている。又、信号再生ユニット(10)の外周面には、音声データが記録されているカード型メモリを挿入するための挿入口(19)が開設されると共に、音声信号の出力端子(14)が配置され、信号再生ユニット(10)の外面には、各種情報を表示するための液晶表示部(11)が配置されている。
【００１４】
第２プレーヤ部(２)は、図１に示す如く、ヘッドバンド(３)の他方の端部に連結された第２ヘッドホンユニット(25)と、第２ヘッドホンユニット(25)に着脱可能に取り付けられた電源ユニット(20)とから構成されている。電源ユニット(20)には、前記第１プレーヤ部(１)の信号再生回路に電力を供給するための二次電池が内蔵されている。
【００１５】
本発明に係るデジタルメモリプレーヤにおいては、図１に示す如く第１ヘッドホンユニット(15)に信号再生ユニット(10)を取り付けると共に、第２ヘッドホンユニット(25)に電源ユニット(20)を取り付けた状態で、ヘッドバンド(３)を頭部に装着することにより、両プレーヤ部(１)(２)が両耳を覆うことになって、従来のヘッドホン型のデジタルメモリプレーヤと同様の使用状態(第１の使用状態)をとることが出来る。
又、本発明に係るデジタルメモリプレーヤにおいては、第１ヘッドホンユニット(15)から信号再生ユニット(10)を取り外すと共に、第２ヘッドホンユニット(25)から電源ユニット(20)を取り外し、図５に示す如く信号再生ユニット(10)と電源ユニット(20)とを互いに合体させることが可能であり、この状態で、信号再生ユニット(10)にイヤホン(62)(62)を接続することによって、従来のイヤホン方式のデジタルメモリプレーヤと同様の使用状態(第２の使用状態)をとることも可能である。
【００１６】
図２は、第１プレーヤ部(１)を構成する第１ヘッドホンユニット(15)と信号再生ユニット(10)の係合部の構造を表わしており、信号再生ユニット(10)の内面には、その両端部に、一対の弾性係合片(12)(12)が形成されており、各弾性係合片(12)には、Ｌ字状の係合フック(12a)が突設されている。一方、第１ヘッドホンユニット(15)の外面には、前記一対の弾性係合片(12)(12)の係合フック(12a)(12a)が係脱可能に係合すべき一対の係合受け窓(17)(17)が開設されている。
斯くして、信号再生ユニット(10)の一対の弾性係合片(12)(12)によって第１係脱機構が構成され、第１ヘッドホンユニット(15)の一対の係合受け窓(17)(17)の開口縁によって第１係脱機構に係脱する第２係脱機構が構成される。
【００１７】
又、信号再生ユニット(10)の内面には、雌コネクター(13)が設置される一方、第１ヘッドホンユニット(15)の外面には、信号再生ユニット(10)の雌コネクター(13)に対して係脱可能な雄コネクター(18)が設置されている。
【００１８】
第１ヘッドホンユニット(15)に信号再生ユニット(10)を取り付ける際は、第１ヘッドホンユニット(15)の外面に対して信号再生ユニット(10)の内面を押し付ける。これに伴って、信号再生ユニット(10)の一対の弾性係合片(12)(12)が互いに接近する方向に弾性変形した後に拡開方向に弾性復帰して、係合フック(12a)(12a)が第１ヘッドホンユニット(15)の係合受け窓(17)(17)の開口縁に係合する。この結果、信号再生ユニット(10)と第１ヘッドホンユニット(15)とが互いに機械的に連結されることになる。
又、信号再生ユニット(10)の雌コネクター(13)と第１ヘッドホンユニット(15)の雄コネクター(18)とが互いに係合して、信号再生ユニット(10)と第１ヘッドホンユニット(15)とが互いに電気的に接続されることになる。
【００１９】
第１ヘッドホンユニット(15)から信号再生ユニット(10)を取り外す場合には、信号再生ユニット(10)の一対の弾性係合片(12)(12)を両側から挟圧する。これによって、一対の弾性係合片(12)(12)が互いに接近する方向に弾性変形し、係合フック(12a)(12a)が第１ヘッドホンユニット(15)の係合受け窓(17)(17)の開口縁から離脱することになる。この状態で、第１ヘッドホンユニット(15)から信号再生ユニット(10)を引き離す。
【００２０】
図３は、第２プレーヤ部(２)を構成する第２ヘッドホンユニット(25)と電源ユニット(20)の係合部の構造を表わしており、第２ヘッドホンユニット(25)の外面には、その両端部に、一対の弾性係合片(27)(27)が形成されており、各弾性係合片(27)には、Ｌ字状の係合フック(27a)が突設されている。一方、電源ユニット(20)の内面には、前記一対の弾性係合片(27)(27)の係合フック(27a)(27a)が係脱可能に係合すべき一対の係合受け窓(22)(22)が開設されている。
斯くして、第２ヘッドホンユニット(25)の一対の弾性係合片(27)(27)によって第１係脱機構が構成され、電源ユニット(20)の一対の係合受け窓(22)(22)の開口縁によって第１係脱機構に係脱する第２係脱機構が構成される。
【００２１】
又、第２ヘッドホンユニット(25)の外面には、雌コネクター(28)が設置される一方、電源ユニット(20)の内面には、第２ヘッドホンユニット(25)の雌コネクター(28)に対して係脱可能な雄コネクター(23)が設置されている。
【００２２】
第２ヘッドホンユニット(25)に電源ユニット(20)を取り付ける際は、第２ヘッドホンユニット(25)の外面に対して電源ユニット(20)の内面を押し付ける。これに伴って、第２ヘッドホンユニット(25)の一対の弾性係合片(27)(27)が互いに接近する方向に弾性変形した後に拡開方向に弾性復帰して、係合フック(27a)(27a)が電源ユニット(20)の係合受け窓(22)(22)の開口縁に係合する。この結果、第２ヘッドホンユニット(25)と電源ユニット(20)とが互いに機械的に連結されることになる。
又、第２ヘッドホンユニット(25)の雌コネクター(28)と電源ユニット(20)の雄コネクター(23)とが互いに係合して、第２ヘッドホンユニット(25)と電源ユニット(20)とが互いに電気的に接続されることになる。
【００２３】
第２ヘッドホンユニット(25)から電源ユニット(20)を取り外す場合には、第２ヘッドホンユニット(25)の一対の弾性係合片(27)(27)を両側から挟圧する。これによって、一対の弾性係合片(27)(27)が互いに接近する方向に弾性変形し、係合フック(27a)(27a)が電源ユニット(20)の係合受け窓(22)(22)の開口縁から離脱することになる。この状態で、第２ヘッドホンユニット(25)から電源ユニット(20)を引き離す。
【００２４】
尚、第１プレーヤ部(１)を構成する信号再生ユニット(10)の一対の弾性係合片(12)(12)と、第２プレーヤ部(２)を構成する第２ヘッドホンユニット(25)の一対の弾性係合片(27)(27)とは、互いに同じ形状寸法に形成されると共に、第１プレーヤ部(１)を構成する第１ヘッドホン部(15)の一対の係合受け窓(17)(17)と、第２プレーヤ部(２)を構成する電源ユニット(20)の一対の係合受け窓(22)(22)とは、互いに同じ形状寸法に形成されている。
又、第１プレーヤ部(１)を構成する信号再生ユニット(10)の雌コネクター(13)と、第２プレーヤ部(２)を構成する第２ヘッドホンユニット(25)の雌コネクター(28)とは、互いに同じ形状寸法に形成されると共に、第１プレーヤ部(１)を構成する第１ヘッドホン部(15)の雄コネクター(18)と、第２プレーヤ部(２)を構成する電源ユニット(20)の雄コネクター(23)とは、互いに同じ形状寸法に形成されている。
【００２５】
従って、第２の使用状態をとるべく、信号再生ユニット(10)を第１ヘッドホン部(15)から取り外すと共に、電源ユニット(20)を第２ヘッドホンユニット(25)から取り外して、図６に示す如く信号再生ユニット(10)と電源ユニット(20)とを互いに圧接させることによって、信号再生ユニット(10)の弾性係合片(12)(12)の係合フック(12a)(12a)を電源ユニット(20)の係合受け窓(22)(22)の開口縁に係合させると共に、信号再生ユニット(10)の雌コネクター(13)と電源ユニット(20)の雄コネクター(23)とを互いに係合させることが出来る。この結果、図５に示す如く両ユニット(10)(20)が互いに合体することになる。
【００２６】
図４は、信号再生ユニット(10)の回路構成と、第１ヘッドホンユニット(15)に信号再生ユニット(10)を取り付けると共に第２ヘッドホンユニット(25)に電源ユニット(20)を取り付けた場合(第１の使用状態)のユニット間の電気接続状態を表わしている。
信号再生ユニット(10)には、各種情報を表示するための液晶表示部(42)と、音声データが記録されているカード型メモリ(７)を接続するためのインターフェース(43)と、信号出力端子(14)とが設けられると共に、カード型メモリ(７)から音声を再生するための回路として、所定の制御動作を実行する制御回路(41)と、制御回路(41)から出力されるデジタルデータを復調するデコーダ(44)と、デコーダ(44)から得られるデジタル音声信号をアナログ音声信号に変換するＤ／Ａ変換器(45)と、Ｄ／Ａ変換器(45)から得られるアナログ音声信号を増幅して雌コネクタ(13)及び音声出力端子(14)へ供給するアンプ(46)と、各回路部に電力を供給する電源回路(47)とが配備されている。
【００２７】
又、ヘッドバンド(３)には、第１ヘッドホンユニット(15)の雄コネクター(18)と第２ヘッドホンユニット(25)の雌コネクター(28)との間で音声信号を伝送するための信号線(31)と電力を伝送するための電力線(32)(32)とが埋設されている。
【００２８】
第１の使用状態において、電源ユニット(20)の電池(21)が発生する電力は、電源ユニット(20)の雄コネクタ(23)、第２ヘッドホンユニット(25)の雌コネクタ(28)、ヘッドバンド(３)に埋設されている電力線(32)(32)、第１ヘッドホンユニット(15)の雄コネクタ(18)、及び信号再生ユニット(10)の雌コネクタ(13)を経て、信号再生ユニット(10)の電源回路(47)に供給される。この結果、信号再生ユニット(10)が信号再生動作を行なう。
【００２９】
信号再生ユニット(10)のアンプ(46)から出力される左チャンネル及び右チャンネルのアナログ音声信号は、信号再生ユニット(10)の雌コネクタ(13)を経て第１ヘッドホンユニット(15)の雄コネクタ(18)に入力される。そして、右チャンネルのアナログ音声信号は第１ヘッドホンユニット(15)の右チャンネルスピーカ(50)に供給される。又、左チャンネルのアナログ音声信号は、ヘッドバンド(３)に埋設されている信号線(31)を経て第２ヘッドホンユニット(25)の左チャンネルスピーカ(51)に供給される。この結果、両スピーカ(50)(51)からステレオの音声が出力されることになる。
【００３０】
図７は、信号再生ユニット(10)と電源ユニット(20)とを互いに合体させた場合(第２の使用状態)のユニット間の電気接続状態を表わしている。
第２の使用状態において、電源ユニット(20)の電池(21)が発生する電力は、電源ユニット(20)の雄コネクタ(23)及び信号再生ユニット(10)の雌コネクタ(13)を経て、信号再生ユニット(10)の電源回路(47)に供給される。この結果、信号再生ユニット(10)が信号再生動作を行なう。
【００３１】
ここで、左右一対のイヤホン(62)(62)に繋がるコード(61)の入力端子(60)を、信号再生ユニット(10)の信号出力端子(14)に接続することによって、該信号出力端子(14)から出力されるアナログ音声信号がイヤホン(62)(62)に供給される。この結果、両イヤホン(62)(62)からステレオの音声が出力されることになる。
【００３２】
従って、本発明に係るヘッドホン型デジタルメモリプレーヤによれば、頭髪が乱れてもコードが邪魔にならない状態で音楽を楽しみたい場合には、図１に示す第１の使用状態をとって、ヘッドバンド(３)を頭部に装着し、両プレーヤ部(１)(２)を両耳に当てればよい。これによって、コードに煩わされることなく、ステレオの音声を良好な音質で楽しむことが出来る。
これに対し、コードが邪魔になっても頭髪を乱れさせることなく音楽を楽しみたい場合には、図５に示す第２の使用状態をとって、左右一対のイヤホン(62)(62)を両耳に装着すればよい。これによって、ヘッドバンドによる頭髪の乱れを気にすることなく、ステレオの音楽を楽しむことが出来る。又、携帯時のプレーヤのコンパクト化を図ることが出来る。
【図面の簡単な説明】
【図１】本発明に係るヘッドホン型デジタルメモリプレーヤの第１の使用状態を示す斜視図である。
【図２】該デジタルメモリプレーヤの第１プレーヤ部を構成する信号再生ユニットと第１ヘッドホンユニットの係合構造を表わす斜視図である。
【図３】該デジタルメモリプレーヤの第２プレーヤ部を構成する電源ユニットと第２ヘッドホンユニットの係合構造を表わす斜視図である。
【図４】該デジタルメモリプレーヤの第１の使用状態におけるユニット間の電気的接続状態を示すブロック図である。
【図５】該デジタルメモリプレーヤの第２の使用状態を示す斜視図である。
【図６】該デジタルメモリプレーヤの信号再生ユニットと電源ユニットの係合構造を表わす斜視図である。
【図７】該デジタルメモリプレーヤの第２の使用状態におけるユニット間の電気的接続状態を示すブロック図である。
【符号の説明】
(１)  第１プレーヤ部
(10)  信号再生ユニット
(15)  第１ヘッドホンユニット
(２)  第２プレーヤ部
(20)  電源ユニット
(25)  第２ヘッドホンユニット
(３)  ヘッドバンド
(62)  イヤホン
【図１】
0003877598.tif 000002
【図２】
0003877598.tif 000003
【図３】
0003877598.tif 000004
【図４】
0003877598.tif 000005
【図５】
0003877598.tif 000006
【図６】
0003877598.tif 000007
【図７】
0003877598.tif 000008